(57)【特許請求の範囲】
【請求項１】
偏光子と、
レセプタクルと、
前記偏光子と前記レセプタクルとの間に配置され、前記偏光子から前記レセプタクルに向かう順方向の一対の直線偏光および前記レセプタクルから前記偏光子に向かう逆方向の光の偏光面を４５度回転させる回転子と、
前記偏光子と前記回転子との間に配置され、前記偏光子からの前記順方向の光を前記レセプタクルに集光させる集光レンズと、
前記回転子と前記レセプタクルとの間に配置され、前記順方向の一対の直線偏光を合波し、前記逆方向の光を常光線と異常光線とに分離する複屈折プリズムと、
を備え、
前記複屈折プリズムの偏光分離角は、１０度以上であり、
前記回転子および前記複屈折プリズムは、前記レセプタクルに固定されており、前記複屈折プリズムは、前記レセプタクルのフェルールに直接固定されていることを特徴とする光合波器。
【請求項２】
前記順方向の一対の前記直線偏光は、それぞれが前記常光線の光路と前記異常光線の光路とに合わせて前記複屈折プリズムに入射されることを特徴とする請求項１に記載の光合波器。
【請求項３】
前記複屈折プリズムは、ウォラストンプリズムであることを特徴とする請求項１または２に記載の光合波器。
【請求項４】
前記ウォラストンプリズムは、２つの複屈折材料を貼り合わせて構成されており、
前記２つの複屈折材料の貼り合せ面が、前記ウォラストンプリズムに入射される２つの光の光路の中心線に対して垂直となるように前記ウォラストンプリズムが配置されることを特徴とする請求項３に記載の光合波器。
【請求項５】
偏光軸が互いに４５度異なり、それぞれ異なる光路上に設けられた一対の半波長板、または２つの光路のうち一方の光路上に偏光方向を９０度変化させる１つの半波長板をさらに備えることを特徴とする請求項１から４のいずれか１項に記載の光合波器。
【請求項６】
前記半波長板は、前記偏光子と前記回転子との間に配置され、
前記偏光子は、前記２つの光路上に渡って設けられることを特徴とする請求項５に記載の光合波器。
【請求項７】
前記半波長板と前記回転子との間に一対の前記偏光子が配置され、
前記偏光子は、前記半波長板が出射する光の偏光方向に沿った偏光軸を有することを特徴とする請求項６に記載の光合波器。
【請求項８】
一対の前記偏光子は、互いに直交する偏光軸を有することを特徴とする請求項７に記載の光合波器。
【請求項９】
２つの光源と、
前記光源からの光をコリメートするコリメートレンズとをさらに備えることを特徴とする請求項１から８のいずれか１項に記載の光合波器。
【請求項１０】
前記コリメートレンズは、前記２つの光源からの２つの光の光路上に渡って配置されるマイクロレンズアレイであることを特徴とする請求項９に記載の光合波器。
【請求項１１】
前記光源と前記マイクロレンズアレイとの間に配置された光軸補正用のレンズをさらに備えることを特徴とする請求項１０に記載の光合波器。
【請求項１２】
前記偏光子と、前記回転子と、前記複屈折プリズムと、前記レセプタクルとを封入する筐体をさらに備えることを特徴とする請求項１に記載の光合波器。
【請求項１３】
前記レセプタクルは、テーパーファイバと接続可能なフェルールを有することを特徴とする請求項１に記載の光合波器。
【請求項１４】
前記光源は、集積型半導体レーザであることを特徴とする請求項９から１１のいずれか１項に記載の光合波器。
【発明の詳細な説明】
【技術分野】
【０００１】
本発明は、アイソレータの機能を有する光合波器に関する。
【背景技術】
【０００２】
光合波器は、異なる波長帯の複数の光を合波させる光部品であり、波長分割多重（ＷＤＭ：Wavelength  Division  Multiplexing）を利用した光通信機器などで使用されている。アイソレータは、一方向の光を透過させて逆方向の光を遮断する光デバイスである。光合波器にアイソレータ機能を備えることで、反射した光が光源に戻って光源の光学特性が劣化することを防止することができる。【０００３】
特許文献１には、アイソレータの機能を有する光合波器が開示されている。特許文献１に記載の光合波器は、偏光子とファラデー回転子と複屈折プリズムとを備えている。複屈折プリズムは、複数の偏波を合波する合波器の機能を有し、偏光子が反射光を遮ることによりアイソレータの機能を有する。
【先行技術文献】
【特許文献】
【０００４】
【特許文献１】特開２００７−１０１６５２号公報
【発明の概要】
【発明が解決しようとする課題】
【０００５】
しかしながら、特許文献１に開示された光デバイスは、光の進行方向のサイズが大きくなってしまうという問題があった。【０００６】
本発明は、上記に鑑みてなされたものであって、アイソレータの機能を有し、光の進行方向のサイズを抑制することができる光合波器を得ることを目的とする。
【課題を解決するための手段】
【０００７】
上述した課題を解決し、目的を達成するために、本発明にかかる光合波器は、偏光子と、レセプタクルと、偏光子とレセプタクルとの間に配置され、偏光子からレセプタクルに向かう順方向の一対の直線偏光およびレセプタクルから偏光子に向かう逆方向の光の偏光面を４５度回転させる回転子と、回転子とレセプタクルとの間に配置され、順方向の一対の直線偏光を合波し、逆方向の光を常光線と異常光線とに分離する複屈折プリズムとを備える。回転子および複屈折プリズムは、レセプタクルに固定されていることを特徴とする。
【発明の効果】
【０００８】
本発明によれば、アイソレータの機能を有し、光の進行方向のサイズを抑制することができる光合波器を得ることが可能であるという効果を奏する。
【図面の簡単な説明】
【０００９】
【図１】本発明の実施の形態１にかかる光合波器の構成を示す図
【図２】図１のａの位置における光の偏光方向を示す図
【図３】図１のｂの位置における光の偏光方向を示す図
【図４】図１のｃの位置における光の偏光方向を示す図
【図５】図１のｄの位置における光の偏光方向を示す図
【図６】図１のｅの位置における光の偏光方向を示す図
【図７】図１のｆの位置における光の偏光方向を示す図
【図８】本発明の実施の形態２にかかる光合波器の構成を示す図
【図９】本発明の実施の形態３にかかる複屈折プリズムの構成を示す図
【図１０】比較例にかかる複屈折プリズムの構成を示す図
【図１１】図１０に示す複屈折プリズムにおける偏光の間隔の変化を示す図
【図１２】図９に示す複屈折プリズムにおける偏光の間隔の変化を示す図
【図１３】本発明の実施の形態４にかかる光合波器の構成を示す図
【発明を実施するための形態】
【００１０】
以下に、本発明の実施の形態にかかる光合波器を図面に基づいて詳細に説明する。なお、この実施の形態によりこの発明が限定されるものではない。
【００１１】
実施の形態１．
図１は、本発明の実施の形態１にかかる光合波器１００の構成を示す図である。光合波器１００は、一対の光源１−１および光源１−２と、一対のコリメートレンズ２−１およびコリメートレンズ２−２と、一対の半波長板３−１および半波長板３−２と、一対の偏光子４−１および偏光子４−２と、集光レンズ５と、回転子６と、複屈折プリズム７と、レセプタクル８と、磁石９とを有する。光合波器１００が有する各構成要素は、上記の順に並んで配置されている。
【００１２】
コリメートレンズ２−１、半波長板３−１および偏光子４−１は、光源１−１から出射される光Ｌ１の光路上に配置されており、コリメートレンズ２−２、半波長板３−２および偏光子４−２は、光源１−２から出射される光Ｌ２の光路上に配置されている。集光レンズ５、回転子６および複屈折プリズム７は、光Ｌ１の光路上および光Ｌ２の光路上に渡って配置されている。
【００１３】
ここで図１に示すように、光源１−１および光源１−２が出射する光の進行方向をＺ軸方向とし、光源１−１および光源１−２が並ぶ方向であり、Ｚ軸方向と直交する方向をＸ軸方向とし、Ｘ軸方向およびＺ軸方向と直交する方向をＹ軸方向とする。また、光源１−１および光源１−２が出射した光がレセプタクル８に向かう方向を順方向Ｄ１と称し、レセプタクル８から光源１−１および光源１−２に向かう方向であって、順方向Ｄ１と逆の方向を逆方向Ｄ２と称する。
【００１４】
光源１−１および光源１−２は、半導体レーザ（ＬＤ：Laser  Diode）などであり、それぞれが直線偏光を出射する。コリメートレンズ２−１およびコリメートレンズ２−２は、入射光をコリメートする。コリメートレンズ２−１には、光源１−１から出射される直線偏光が入射され、コリメートレンズ２−２には、光源１−２から出射される直線偏光が入射される。
【００１５】
半波長板３−１および半波長板３−２は、直交する偏光成分の間に位相差１８０度を生じさせる複屈折素子である。半波長板３−１および半波長板３−２を透過した直線偏光は、偏光方向が変化する。偏光方向とは、電場ベクトルが振動する方向であり、直線偏光は偏光方向が一定な光である。半波長板３−１および半波長板３−２のそれぞれの偏光軸は、互いに４５度異なる。偏光軸は、出射する直線偏光の偏光方向と向きが一致する軸である。
【００１６】
偏光子４−１および偏光子４−２は、予め定められた偏光方向の直線偏光を生成する。偏光子４−１および偏光子４−２の偏光軸は、互いに直交している。偏光軸は、偏光子４−１および偏光子４−２のそれぞれが透過させる直線偏光の偏光方向である。偏光子４−１には、半波長板３−１を透過した光が入射され、偏光子４−２には、半波長板３−２を透過した光が入射される。
【００１７】
本実施の形態では、偏光子４−１および偏光子４−２には、それぞれ半波長板３−１または半波長板３−２から光が入射される。このため、偏光子４−１および偏光子４−２のそれぞれは、半波長板３−１または半波長板３−２が出射する光を透過することができるように偏光軸が向けられている。
【００１８】
集光レンズ５は、偏光子４−１および偏光子４−２と回転子６との間に配置され、偏光子４−１および偏光子４−２からの順方向Ｄ１の光をレセプタクル８に集光させる。回転子６は、偏光子４−１および偏光子４−２とレセプタクル８との間であって、集光レンズ５と複屈折プリズム７との間に配置されている。回転子６は、回転子６を挟むように配置された２つの磁石９が生じさせる磁界によって、入射光の偏光状態を回転させて、入射される直線偏光の偏光面を回転させる。ここで偏光面とは、偏光方向と光の進行方向とを含む面である。同じ方向からみたとき、順方向Ｄ１と逆方向Ｄ２では、偏光面の回転方向は同じである。
【００１９】
複屈折プリズム７は、回転子６とレセプタクル８との間に配置され、順方向Ｄ１の２つの入射光を合波し、逆方向Ｄ２の入射光を偏光面が９０度異なる同一強度の２つの光に分離する。分離された２つの光は、それぞれ常光線と異常光線と呼ばれる。回転子６から複屈折プリズム７に入射される順方向Ｄ１の２つの直線偏光は、常光線および異常光線と光路および偏光方向を合わせて複屈折プリズム７に入射されている。つまり、順方向Ｄ１で常光線の光路に合わせて入射される光の偏光方向は、逆方向Ｄ２の光が分離された常光線の偏光方向と同じであり、順方向Ｄ１で異常光線の光路に合わせて入射される光の偏光方向は、逆方向Ｄ２の異常光線の偏光方向と同じである。複屈折プリズム７に、上記の条件を満たす一対の直線偏光を順方向Ｄ１に入射させることで、一対の直線偏光は合波される。このため、常光線および異常光線の光路と一致する２つの方向は、順方向Ｄ１では、光を入射しても光が分離しない結晶光軸の方向と言うことができる。このため、一対の直線偏光は、順方向Ｄ１で、複屈折プリズム７の結晶光軸の方向に合わせた入射角で複屈折プリズム７に入射されるということもできる。
【００２０】
複屈折プリズム７は、ウォラストンプリズムであり、２つの複屈折性材料がはり合わされている。２つの複屈折性材料は、互いに結晶光軸が直交する状態で固定されている。複屈折プリズム７の偏光分離角は１０度以上である。
【００２１】
レセプタクル８は、光ファイバスタブを内蔵し、光コネクタとの接続機能を有する光モジュール部品である。回転子６、複屈折プリズム７および磁石９は、レセプタクル８に固定されている。回転子６、複屈折プリズム７および磁石９は、例えば接着によりレセプタクル８に固定されている。順方向Ｄ１の光が出射する回転子６の一面６ａと、複屈折プリズム７に順方向Ｄ１の光が入射する面７ａとが接着され、順方向Ｄ１の光が出射する複屈折プリズム７の一面７ｂと、レセプタクル８に順方向Ｄ１の光が入射する面８ａとが接着される。レセプタクル８は、端部の径が広がっているテーパーファイバと接続可能なフェルールを有する。
【００２２】
図１に示す複数の構成要素は、全て図示しない筐体に封入されてモジュール化されていてもよい。例えば、光合波器１００は、ＴＯＳＡ（Transmitter  Optical  SubAssembly）と呼ばれる光モジュールであり、光ファイバを差し込むだけで使用することができるように光軸調整されている。
【００２３】
図２から図７は、図１に示す光合波器１００の各部における光の偏光方向の推移を示している。図２は、図１のａの位置における光の偏光方向を示す図である。図３は、図１のｂの位置における光の偏光方向を示す図である。図４は、図１のｃの位置における光の偏光方向を示す図である。図５は、図１のｄの位置における光の偏光方向を示す図である。図６は、図１のｅの位置における光の偏光方向を示す図である。図７は、図１のｆの位置における光の偏光方向を示す図である。
【００２４】
図１の（ａ）に示す位置における光Ｌ１−１および光Ｌ２−１は、図２示すように、偏光方向が水平な直線偏光である。光Ｌ１は、コリメートレンズ２−１でコリメートされてコリメート光となり、半波長板３−１に入射する。光Ｌ２は、コリメートレンズ２−２でコリメートされてコリメート光となり、半波長板３−２に入射する。図１の（ｂ）に示す位置における光Ｌ１−２および光Ｌ２−２は、図３に示すように、±４５度の直線偏光となる。ここで、半波長板３−１および半波長板３−２の偏光軸３１ａおよび偏光軸３２ａは±２２．５度である。
【００２５】
偏光子４−１の偏光軸４１ａの方向は−４５度であり、偏光子４−２の偏光軸４２ａの方向は＋４５度である。図４に示すように、図１の（ｃ）に示す位置における光Ｌ１−３の偏光方向は−４５度であり、光Ｌ２−３の偏光方向は＋４５度である。このため、偏光子４−１および偏光子４−２から集光レンズ５に入射する光Ｌ１および光Ｌ２は、±４５度の直線偏光である。
【００２６】
光Ｌ１および光Ｌ２は、集光レンズ５により集光された後、回転子６に入射する。回転子６を透過する間に、直線偏光の偏光面は４５度回転するため、図１（ｄ）に示す位置における光Ｌ１−４および光Ｌ２−４の偏光方向は、図５に示すように、それぞれ垂直方向および水平方向となる。回転子６を順方向Ｄ１に透過した光Ｌ１および光Ｌ２は、それぞれが複屈折プリズム７に対して異なる角度で入射する。図１の（ｅ）に示す位置において、複屈折プリズム７を順方向Ｄ１に透過した光Ｌ１−５および光Ｌ２−５は、図６に示すように１つの光路に合波される。合波された光は、レセプタクル８の出射口から出射される。
【００２７】
レセプタクル８で反射した逆方向Ｄ２の光は、複屈折プリズム７で常光線と異常光線とに分離される。分離された常光線と異常光線とが回転子６を透過すると、直線偏光の偏光面が４５度回転する。回転子６における偏光面の回転方向は、同じ方向から見た場合、順方向Ｄ１の入射光と逆方向Ｄ２の入射光とで同じである。回転子６を透過した常光線および異常光線は、順方向Ｄ１の光が集光レンズ５から回転子６に入射した光路を通って、逆方向Ｄ２で集光レンズ５に入射し、コリメート光となって偏光子４−１および偏光子４−２のそれぞれに入射する。図１（ｆ）に示す位置において逆方向Ｄ２で偏光子４−１に入射する光Ｌ１−６は、偏光子４−１の偏光軸４１ａの方向と直交し、逆方向Ｄ２で偏光子４−２に入射する光Ｌ２−６は、図７に示すように、偏光子４−２の偏光軸４２ａの方向と直交している。このため、偏光子４−１および偏光子４−２は、順方向Ｄ１の光を透過して逆方向Ｄ２の光を遮断するアイソレータとしての機能を有する。
【００２８】
なお、図２から図７に示した偏光方向の推移は代表例であって、図２から図７に示す例に限定されない。偏光方向の推移の順番が異なっていてもよいし、光合波器１００の機能を実現することができれば、偏光方向が異なっていてもよい。また、上記の実施の形態１では、光合波器１００は、一対の半波長板３−１および半波長板３−２を備えていたが、本発明はかかる例に限定されない。光合波器１００は、片方の半波長板３の偏光軸を、偏光の偏光方向に対して４５度傾けた場合、他方の半波長板３を省略することが可能である。
【００２９】
以上説明したように、本発明の実施の形態１にかかる光合波器１００は、２つの光源１−１および光源１−２が出射した光を合波して出射する機能を有すると共に、反射して逆方向Ｄ２に進む光を遮断するアイソレータの機能を有する。回転子６が入射光の偏光面を４５度回転させるため、順方向Ｄ１に進んだ光が反射して逆方向Ｄ２に進み、回転子６を透過したとき、偏光面は往復で９０度回転する。このため、偏光子４−１および偏光子４−２を順方向Ｄ１に透過した光は、逆方向Ｄ２で偏光子４−１および偏光子４−２を透過することができず遮断される。回転子６および複屈折プリズム７は、レセプタクル８に固定されているため、ミラーと、バンドパスフィルタまたは偏光フィルタとを用いた光合波器、ＰＬＣ（Planar  Lightwave  Circuit）−ＡＷＧ（Arrayed−Waveguide  Grating）を用いた光合波器などと比較して小型な光合波器を実現することができる。
【００３０】
また、本実施の形態１にかかる光合波器１００においては、回転子６に入射する２つの光は、コリメート光が集光レンズ５で集光されて、回転子６の入射面に対してそれぞれ異なる角度で入射する。このため、コリメート光であり、回転子６の入射面に対して垂直に入射する光が回転子６に入射する場合よりも同じ光路長を確保する場合に、回転子６の入射面に対して垂直な方向の距離を短くすることが可能である。このため、光の進行方向における光合波器１００のサイズを小型にすることが可能である。
【００３１】
また、本実施の形態１にかかる光合波器１００が有する複屈折プリズム７は、２種類の複屈折材料が貼り合されたウォラストンプリズムである。このため、単一の複屈折材料を用いる場合と比較して偏光分離角を大きくすることができると共に、偏光をほぼ対称に分離することが可能になる。
【００３２】
実施の形態２．
図８は、本発明の実施の形態２にかかる光合波器２００の構成を示す図である。光合波器２００は、光合波器１００と比較して、半波長板３と偏光子４との配置が入れ替わっており、一対の偏光子４−１および偏光子４−２の代わりに一体の偏光子４が用いられている点が異なる。偏光子４には、光源１−１が出射してコリメートレンズ２−１を透過した光と、光源１−２が出射してコリメートレンズ２−２を透過した光の両方が入射される。このため、光源１−１が出射する光の偏光方向と光源１−２が出射する光の偏光方向とを揃えれば、一体型の偏光子４を用いることが可能である。
【００３３】
なお、図８の例では、光合波器２００は、２つの半波長板３−１および半波長板３−２を備えているが、実施の形態１と同様に片方を省略することが可能である。本実施の形態２によれば、偏光子４が１つであるため、構成が単純になり、光合波器２００のコストを削減することが可能になる。
【００３４】
実施の形態３．
図９は、本発明の実施の形態３にかかる複屈折プリズム７の構成を示す図である。図９に示す複屈折プリズム７は、２種類の複屈折材料が貼りあわされたウォラストンプリズムであり、図１に示す光合波器１００、図８に示す光合波器２００のいずれに図９に示す構成を適用してもよい。
【００３５】
本実施の形態３にかかる複屈折プリズム７は、複屈折材料が貼りあわされた貼り合せ面Ｉが、複屈折プリズム７に入射される光の２つの光路の中心線に対して垂直±１０度以下となるように設計されている。
【００３６】
図１０は、比較例にかかる複屈折プリズム７Ａの構成を示す図である。図１０に示す複屈折プリズム７Ａは、貼り合せ面Ｉが２つの光路の中心線に対して傾いている。一般的に複屈折プリズム７Ａに入射する光は、複屈折プリズム７Ａへ入射する面と、貼り合せ面Ｉとにおいて屈折する。図１０に示す比較例のように、貼り合せ面Ｉが２つの光路の中心線に対して傾いている場合、貼り合せ面Ｉで屈折が生じるため、レセプタクル８および複屈折プリズム７Ａの相対位置がずれると、図１１に示すように、レセプタクル８の位置における２つの偏光の間隔がｌ１からｌ２に変化する。図１１は、図１０に示す複屈折プリズム７Ａにおける偏光の間隔の変化を示す図である。これに対して、図９に示すように、貼り合せ面Ｉが２つの光路の中心線に対して垂直である場合、貼り合せ面Ｉにおける屈折が小さくなる。このため、図１２に示すように、レセプタクル８の位置における２つの偏光の間隔は変化し難い。図１２は、図９に示す複屈折プリズム７における偏光の間隔の変化を示す図である。したがって、複屈折プリズム７とレセプタクル８との間の位置ずれが生じたとしても、光軸のずれは無視できる程度に小さいため、合波効率の低下を抑制することができる。
【００３７】
以上説明したように、複屈折プリズム７を２種類の複屈折材料が貼りあわされたウォラストンプリズムとし、複屈折材料が貼りあわされた貼り合せ面Ｉを、複屈折プリズム７に入射される光の２つの光路の中心線に対して垂直とすることにより、複屈折プリズム７に入射される２つの光は、貼り合せ面Ｉではほとんど屈折せずに直進してレセプタクル８において合波されることになる。したがって、複屈折プリズム７とレセプタクル８との間の位置ずれが生じても光軸のずれを抑制することができ、合波効率の低下を抑制することが可能になる。
【００３８】
実施の形態４．
図１３は、本発明の実施の形態４にかかる光合波器３００の構成を示す図である。光合波器３００は、コリメートレンズ２−１およびコリメートレンズ２−２の代わりにマイクロレンズアレイ１３を設けて、マイクロレンズアレイ１３と光源１−１および光源１−２との間にそれぞれ調芯用レンズ１２−１および調芯用レンズ１２−２を配置している。
【００３９】
図１および図８に示すようなコリメートレンズ２−１およびコリメートレンズ２−２は、光源１−１および光源１−２の位置ずれに合わせてそれぞれ別に調芯および接着する必要があり、調芯代および接着代を設けるために、外径サイズおよび有効径が小さくなる。また複屈折プリズム７における偏光分離角の制約があるため、合波すべき２つの光の光路は、ビーム径と同程度に近接している。このため、コリメートレンズ２−１およびコリメートレンズ２−２の有効径の範囲からビームが外れて光学損失が生じやすい。
【００４０】
これに対して、有効径が小さい調芯用レンズ１２−１および調芯用レンズ１２−２と、コリメートレンズとして機能し、光学ピッチと同程度の大きな有効径が得られるマイクロレンズアレイ１３とを設けることによって、調芯性を保ちつつ、近接するコリメートビームを形成することができ、複屈折プリズム７の偏光分離角を最小限に抑制することが可能になる。
【００４１】
また、光源１−１および光源１−２は、集積型半導体レーザであってもよい。集積型半導体レーザ内には、ＭＭＩ（Multi−Mode  Interference）型合波器、マッハツェンダー干渉計を用いた合波器などが集積されている。
【００４２】
なお、上記の実施の形態１から４に示した光合波器１００，２００および３００を構成する各部品は、セラミックス製、樹脂製または金属製の筐体に封入されていることが望ましい。この場合、高い気密性、衝撃吸収性を確保することができ、持ち運びが容易であり、トランシーバへの接続を容易に行うことができるといった効果を奏することができる。
【００４３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【００４４】
例えば、上記の各実施の形態では、複屈折プリズムはウォラストンプリズムであることとしたが、本発明はかかる例に限定されない。複屈折プリズムは、ルチル、方解石などの単一の複屈折結晶であってもよい。
【００４５】
また上記の各実施の形態では、集光レンズ５を用いて順方向Ｄ１の光をレセプタクル８に集光させたが、本発明はかかる例に限定されない。例えば、集光レンズ５を省略してコリメート光を回転子６および複屈折プリズム７に入射させることもできる。しかしながら、集光レンズ５を用いることで、光の進行方向のサイズを抑制することが可能になる。
【符号の説明】
【００４６】
１−１，１−２  光源、２−１，２−２  コリメートレンズ、３−１，３−２  半波長板、４，４−１，４−２  偏光子、５  集光レンズ、６  回転子、７，７Ａ  複屈折プリズム、８  レセプタクル、９  磁石、１２−１，１２−２  調芯用レンズ、１３  マイクロレンズアレイ、１００，２００，３００  光合波器、Ｄ１  順方向、Ｄ２  逆方向、Ｉ  貼り合せ面。
【要約】
光合波器（１００）は、偏光子（４−１，４−２）と、レセプタクル（８）と、偏光子（４−１，４−２）とレセプタクル（８）との間に配置され、偏光子（４−１，４−２）からレセプタクル（８）に向かう順方向（Ｄ１）の一対の直線偏光およびレセプタクル（８）から偏光子（４−１，４−２）に向かう逆方向（Ｄ２）の光の偏光面を４５度回転させる回転子（６）と、回転子（６）とレセプタクル（８）との間に配置され、順方向（Ｄ１）の一対の直線偏光を合波し、逆方向（Ｄ２）の光を常光線と異常光線とに分離する複屈折プリズム（７）とを備え、回転子（６）および複屈折プリズム（７）は、レセプタクル（８）に固定されていることを特徴とする。【図１】
0006366864.tif 000002
【図２】
0006366864.tif 000003
【図３】
0006366864.tif 000004
【図４】
0006366864.tif 000005
【図５】
0006366864.tif 000006
【図６】
0006366864.tif 000007
【図７】
0006366864.tif 000008
【図８】
0006366864.tif 000009
【図９】
0006366864.tif 000010
【図１０】
0006366864.tif 000011
【図１１】
0006366864.tif 000012
【図１２】
0006366864.tif 000013
【図１３】
0006366864.tif 000014